(57)【特許請求の範囲】
【請求項１】
ハウジング内にヘッドホンユニットが組み込まれる左右一対のイヤピースと、
長手方向に湾曲する形状からなるヘッドバンドと、
前記ヘッドバンドの長手方向の両方の端部と前記イヤピースとをそれぞれ連結し、前記ヘッドバンドの長手方向において進退可能な状態で前記端部に保持されるスライダーと、
前記スライダーの表面において前記イヤピースのそれぞれを電気的に接続する結線部材を覆うカバー部材と、を有するヘッドホンであって、
前記スライダーは、前記ヘッドバンドの長手方向に沿った長孔を有し、
前記カバー部材は、前記長孔に沿って前記結線部材を内部に保持する空間を有していて前記結線部材を覆い、
前記空間は、前記カバー部材の長手方向の両方の端部において前記結線部材が通る開口部になっている、
ヘッドホン。
【請求項２】
前記開口部は、前記カバー部材の短手方向を開口するように形成されている第１開口部と、前記カバー部材の長手方向を開口するように形成されている第２開口部を有する請求項１記載のヘッドホン。
【請求項３】
前記第１開口部は、前記ヘッドバンド側に形成されていて、
前記第２開口部は、前記イヤピース側に形成されている、
請求項２記載のヘッドホン。
【請求項４】
前記ヘッドバンドの両方の端部には、突起部が配置されていて、
前記突起部は、前記スライダーの長孔に嵌っている、
請求項１乃至３のいずれかに記載のヘッドホン。
【請求項５】
前記スライダーの一部には、短手方向の溝が前記スライダーの長手方向に一定間隔で形成されている、
請求項１乃至４のいずれかに記載のヘッドホン。
【請求項６】
前記ヘッドバンドの両方の端部には、弾性部材が配置されていて、
前記弾性部材の凸部が前記溝に嵌るクリック機構を形成する、
請求項５記載のヘッドホン。
【請求項７】
上記スライダーは、金属からなる、
請求項１乃至６のいずれかに記載のヘッドホン。
【発明の詳細な説明】
【技術分野】
【０００１】
本発明は、ヘッドホンに関するものである。
【背景技術】
【０００２】
耳覆い型のヘッドホン、または耳載せ型のヘッドホンは、左右一対のイヤピースをヘッドバンドで連結して構成される。各イヤピースには、イヤパッドを備えるハウジング内にスピーカと同じ構造のドライバーユニットが組み込まれている。ヘッドバンドは、ユーザーの頭頂部を跨ぐように湾曲した形状であって、弾性部材を備えている。ユーザーが当該ヘッドホンを装着したとき、ヘッドバンドは、左右のイヤピースのイヤパッドが適度の圧力をもってユーザーの耳または側頭部に接するように押圧力を与える。また、このようなヘッドホンは、ヘッドバンドに対するイヤパッドの位置を調整できる調整機構を備えている。調整機構によって、ユーザーがヘッドホンを装着するときに、イヤピースをユーザーの耳または側頭部の適切な位置に合わせられる。
【０００３】
上記の調整機構は、ヘッドバンドの長さを調整するものである。以下、この調整機構を「ヘッドバンド長さ調整機構」という。従来から、ヘッドバンド長さ調整機構として、種々のものが知られている。例えば、ヘッドバンドの外側に操作部材を配置して、ユーザーがヘッドホンを装着した状態でヘッドバンドの長さを調整できるヘッドホンが知られている（例えば、特許文献１を参照）。
【先行技術文献】
【特許文献】
【０００４】
【特許文献１】特開２０１１-８２８５１号公報
【発明の概要】
【発明が解決しようとする課題】
【０００５】
特許文献１のヘッドホンにおけるヘッドバンド長さ調整機構は、部品点数が多く、構造も複雑である。また、従来から知られているヘッドバンド長さ調整機構は、相対的にスライドする２つ以上の異なる部材を有し、これら異なる部材が互いに擦り合う。したがって、ヘッドバンド長さ調整機構には、耐摩耗性が求められる。また、ヘッドバンド長さ調整機構は、ヘッドバンドに対してスライド移動する部材を備える。このスライドする部材がヘッドバンドから外れないような、抜け防止となる構造が必要になる。この点、特許文献１のような構成では、抜け防止構造のための部品点数が多くなる。
【０００６】
また、音源装置との接続端子を左右のイヤピースのいずれか一方に設けて、他方のイヤピースには一方のイヤピースから結線部材を用いて接続する場合、結線部材はヘッドバンド内部を通すことになる。そうすると、ヘッドバンドの長さを調整することで、左右のイヤピースの間を繋ぐ結線部材を這わせる部分の長さが変わる。そこで、ヘッドバンドを短くしたときは、結線部材が外部に露出することなく、かつ、ヘッドバンドの内部空間で絡まずに収納できる構造が必要である。
【０００７】
本発明は、ヘッドバンド長さ調整機構の耐摩耗性を高め、かつ部品点数を抑えつつ、抜け防止構造も備えるヘッドホンを提供することを目的とする。
【課題を解決するための手段】
【０００８】
本発明は、
ハウジング内にヘッドホンユニットが組み込まれる左右一対のイヤピースと、
長手方向に湾曲する形状からなるヘッドバンドと、
前記ヘッドバンドの長手方向の両方の端部と前記イヤピースとをそれぞれ連結し、前記ヘッドバンドの長手方向において進退可能な状態で前記端部に保持されるスライダーと、
前記スライダーの表面において前記イヤピースのそれぞれを電気的に接続する結線部材を覆うカバー部材と、を有するヘッドホンであって、
前記スライダーは、前記ヘッドバンドの長手方向に沿った長孔を有し、
前記カバー部材は、前記長孔に沿って前記結線部材を内部に保持する空間を有していて前記結線部材を覆い、
前記空間は、前記カバー部材の長手方向の両方の端部において前記結線部材が通る開口部になっていることを最も主要な特徴とする。
【発明の効果】
【０００９】
本発明によれば、ヘッドバンド長さ調整機構の耐摩耗性を高め、かつ部品点数を抑えつつ、抜け防止構造も備えることができる。
【図面の簡単な説明】
【００１０】
【図１】本発明に係るヘッドホンの全体形状の例を示す斜視図である。
【図２】上記ヘッドホンが備えるスライダー部分を内側から見た拡大斜視図である。
【図３】上記ヘッドホンが備えるスライダー部分の分解斜視図である。
【図４】上記ヘッドホンが備えるスライダー部分の分解側面図である。
【図５】上記ヘッドホンが備えるスライダー部分を外側から見た拡大斜視図である。
【図６】上記ヘッドホンが備えるスライダー部分の断面図である。
【発明を実施するための形態】
【００１１】
以下、本発明に係るヘッドホンの実施形態について、図面を参照しながら説明する。図１は、本実施形態に係るヘッドホン１００の全体の形状を示す斜視図である。図１に示されるように、ヘッドホン１００は、左右一対のイヤピース１と、ヘッドバンド２と、スライダー３と、固定部材４と、カバー部材５と、を有してなる。
【００１２】
各イヤピース１は、イヤパッド１０２を備えるハウジング１０１の内部にヘッドホンユニットを組み込んだものであって、各ハウジング１０１の外部にはアーム部材１１が取り付けられている。このアーム部材１１は、イヤピース１のハウジング１０１と後述するスライダー３及びカバー部材５とを連結させる部材である。
【００１３】
具体的には以下のとおりである。アーム部材１１は、二股に別れたアームを有している。この二股のアームは、ハウジング１０１の外周面の約半周を囲んでいる。上記二股のアームの各先端部は、ハウジング１０１の外周部に軸によって連通されている。ハウジング１０１は、上記の二股のアームの先端の軸を回転軸として所定の範囲で回転運動ができるようにアーム部材１１に固定されている。
【００１４】
イヤピース１の内部のヘッドホンユニットは、接続端子に接続された接続コードを介して音源に接続される。接続端子は、左右一対のイヤピース１の一方に設けられている。したがって、音源から入力される信号は、イヤピース１の一方に入力される。イヤピース１の一方と他方は、いわゆる渡りコードによって電気的に接続されていて、この渡りコードを介して、音源からの信号は他方のイヤピース１にも入力される。この渡りコードは、イヤピース１から出てアーム部材１１を経由してヘッドバンド２に至る部分における露出部分が、後述するカバー部材５によって覆われている。
【００１５】
ヘッドバンド２は、ユーザーの頭頂部または後頭部を跨ぐように湾曲した形状を有している。ヘッドバンド２は、内部に板バネ状の弾性部材を備えている。ユーザーが装着していない状態のヘッドホン１００は、図１に示すように、ヘッドバンド２の形状に倣って、イヤピース１の端部同士が近づいた状態になる。ユーザーが装着する状態では、ヘッドホン１００は、ヘッドバンド２の長手方向の端部間の距離が広げられた状態になる。言い換えると、ユーザーが装着する状態ではイヤピース１同士の距離が広げられた状態になる。
【００１６】
ヘッドホン１００を装着するときは、ユーザーがイヤピース１を持ってヘッドバンド２の円弧を広げる。そうすると、イヤピース１には、ヘッドバンド２のバネ性によって端部同士を近づけようとする復元力が働く。すなわち、装着時のイヤピース１は、ヘッドバンド２が形成する円弧の内側に向かう力によって付勢される。この力がユーザーの側頭部に側圧を与える。この側圧によって、イヤピース１は、所定の位置で保持される。
【００１７】
ヘッドバンド２の両端には、固定部材４が配置されている。固定部材４は樹脂からなる部材であって、構造の詳細については後述する。
【００１８】
ヘッドホン１００は、固定部材４とイヤピース１を保持するアーム部材１１との間に、ヘッドバンド長さ調整機構を構成するスライダー３を有する。スライダー３の一方の端部は、固定部材４の長手方向の端に形成されている開口部分からヘッドバンド２の内部空間に進入し、ヘッドバンド２の長手方向において進退可能な状態で保持されている。すなわち、イヤピース１は、スライダー３によってヘッドバンド２の長手方向においてスライド移動ができるようになっている。
【００１９】
スライダー３の他方の端部は、後述するカバー部材５とアーム部材１１に固定されている。アーム部材１１またはイヤピース１とヘッドバンド２の端部を持ち、互いを引き離す向きに力を加えると、スライダー３が固定部材４の内部から引き出されて、ヘッドバンド２の実質的な長さを伸ばすことができる。逆に、イヤピース１とヘッドバンド２を互いに押し付ける向きに力を加えると、スライダー３がヘッドバンド２の内部に進入して、ヘッドバンド２の実質的な長さを縮めることができる。このようにスライダー３によってヘッドバンド２の長さを調整することができる。
【００２０】
次に、上記ヘッドバンド長さ調整機構の詳細な構成について図を用いて説明する。図２は、スライダー３の一部を拡大した図である。図２に示すように、スライダー３は全体的な外形が長方形の板材であって、長手方向に円弧を描くように湾曲している。スライダー３は、長手方向に沿って形成される長孔３１と、長孔３１の周辺とスライダー３の外周辺との間に連続的に形成される溝３２と、を有している。
【００２１】
長孔３１は、スライダー３の長手方向の両方の端部方向に向けて伸びていて、スライダー３の長手方向の寸法よりも短い。長孔３１は、スライダー３の短手方向（幅方向）の中央部分を通る位置に形成されている。長孔３１は、後述する抜け防止構造の一部として作用する構成であるが、スライダー３の短手方向の中央部分に配置されることは必須ではない。長孔３１は、スライダー３の幅方向の一方の側面に片寄った位置に形成されてもよい。この場合、長孔３１によって分割されるスライダー３の面のうち、一方の側面側の長孔３１の周辺とスライダー３の外周辺の間の面の幅は、後述するように渡りコードを配置できる程度の幅を確保できればよい。
【００２２】
溝３２は、スライダー３の位置決めに用いる「クリック機構」を構成する。溝３２は、スライダー３の表面の一部を長孔３１から外に向かって切削して凹ませたものであって、スライダー３の長手方向において一定間隔で連続的に形成されている。
【００２３】
スライダー３の一方の端部は、固定部材４の固定端部４１によって把持されている。また、スライダー３の他方の端部は、アーム部材１１とカバー部材５によって把持されている。
【００２４】
カバー部材５は、非金属部材であって、例えば樹脂製の部材である。カバー部材５は、長手方向においてスライダー３と同様の円弧を描いた形状になっている。カバー部材５は、アーム部材１１とともにスライダー３を把持する幅広部５２と、幅広部５２の一端から長手方向に向かって伸びるように形成されている狭小部５１と、を有してなる。狭小部５１は、スライダー３の一部の面に長孔３１に沿って配置されるようになる。スライダー３の面の一部は、カバー部材５の狭小部５１により表面が覆われる。狭小部５１は、断面形状が略半円形のドーム形状であって、内側は長手方向に沿って掘削された空間が形成されている。このカバー部材５の内側の空間は、渡りコードを保持する空間になる。
【００２５】
図３に示すように、スライダー３と固定部材４とカバー部材５はそれぞれ、長手方向において円弧を描くような外形を有している。これらが描く円弧の曲がり具合は、ヘッドバンド２の円弧と同様である。
【００２６】
固定部材４の固定端部４１の内側（図３紙面における奥側）には、金属製の弾性部材であるバネ４３が配置されている。バネ４３は、板バネを折り曲げたものであって、固定端部４１に固定される平面部分と、平面部分に対向する側の凸部４３１と、を有してなる。バネ４３の凸部４３１は、スライダー３の溝３２に押し付けられて嵌るようになっている。凸部４３１は、スライダー３をヘッドバンド２に対して（固定部材４に対して）スライド移動させると、隣り合う溝３２の間の畝状の盛り上がり部を乗り越えて移動できるような弾力を有している。すなわち、凸部４３１は溝３２の形成部分を相対的にスライド移動し、凸部４３１が、溝３２に嵌るときに「カチッ」というクリック感を生じさせる。このクリック感によってユーザーはヘッドバンド２の実質的な長さの変更度合いを感じることができる。
【００２７】
スライダー３もバネ４３も金属部材であり、スライダー３を移動させるときに互いに摩擦し合っても摩耗することはない。すなわち、ヘッドホン１００のヘッドバンド長さ調整機構は、耐摩耗性が高い。
【００２８】
また、図４に示すように固定部材４の固定端部４１の内側（図４紙面上方向）には、抜け防止構造の一部であるボス４２が形成されている。ボス４２は、固定部材４の内面の一部を隆起させた突起部であって、スライダー３の一方の面側から長孔３１に挿入されて、先端がスライダー３の他方の面から少し出るように配置される。
【００２９】
ここで、抜け防止構造について詳細に説明する。図５に示すように、ボス４２は、スライダー３の長孔３１に挿入されていて、スライダー３をヘッドバンド２の長手方向に対してスライド移動させたときに、スライダー３が移動可能範囲の限界点に至るとボス４２が長孔３１の長手方向端部に当たるようになっている。すなわち、ボス４２はスライダー３の移動可能範囲の限界点として作用する。これによって、スライダー３を移動可能範囲の限界点まで移動させても、ヘッドバンド２から抜け落ちることを防ぐことができる。
【００３０】
以上のとおり、ヘッドホン１００におけるヘッドバンド２の抜け防止構造は、ヘッドバンド２にスライダー３を固定する端部である固定部材４に配置されている。すなわち、当該抜け防止構造は、ヘッドバンド２とスライダー３を固定するための部材（固定部材４）において形成されるから、抜け防止構造のために別の部品を用いる必要がない。したがって、抜け防止構造を設けるに当って部品点数を少なくしても確実に抜け防止効果を得ることができる。
【００３１】
図４に示すように、カバー部材５は、狭小部５１の長手方向の先端に引掛け部５１３が形成されている。この引掛け部５１３をスライダー３の長手方向の先端付近に形成されている孔に引っ掛けることで、カバー部材５はスライダー３に固定されている。
【００３２】
また、カバー部材５は、狭小部５１の長手方向の先端付近に形成された第１開口部５１１と、幅広部５２の端部付近に形成された第２開口部５１２と、を有する。第１開口部５１１は、ヘッドバンド２側に形成されている。第２開口部５１２は、イヤピース１側に形成されている。
【００３３】
第１開口部５１１は、狭小部５１の長手方向の先端付近における内側壁の一部を切除するように形成されている。第１開口部５１１の開口方向は、狭小部５１の長手方向ではなく、短手方向に向いている。すなわち、狭小部５１の内部空間は、第１開口部５１１によって、ヘッドバンド２の長手方向に交わる方向に開口されている。
【００３４】
第２開口部５１２は、幅広部５２の長手方向端部付近の内壁面を貫通するように形成されている。第２開口部５１２の開口方向は、幅広部５２の長手方向に向いている。すなわち、幅広部５２の内部空間は、第２開口部５１２によって、ヘッドバンド２の長手方向に向けて開口されている。
【００３５】
以上のとおり、カバー部材５の内部空間は、狭小部５１においてヘッドバンド２の長手方向に交わる方向に開口されていて、幅広部５２においてヘッドバンド２の長手方向に開口されている。すなわち、カバー部材５の内部空間の開口部の一部は、ヘッドバンド２の長手方向およびスライダー３のスライド移動方向に交わる方向に向けて形成されている。
【００３６】
左右のイヤピース１を電気的に接続する渡りコードは、一方のイヤピース１のアーム部材１１の端部とカバー部材５の第２開口部５１２により形成される開口からカバー部材５の内部空間に進入する。この渡りコードは、狭小部５１の内部空間を通過して第１開口部５１１を通って固定部材４とヘッドバンド２の内部空間に至る。また、渡りコードは、ヘッドバンド２の内部空間から他方のイヤピース１に連なる固定部材４の内部空間と、カバー部材５の開口とアーム部材１１の開口を通り抜けて他方のイヤピース１へと至る。
【００３７】
すでに説明したとおり、イヤピース１側の開口部であるカバー部材５の第２開口部５１２は、渡りコードが進行する方向に向かって開口している。一方、ヘッドバンド２側の開口部である第１開口部５１１は、渡りコードが進行する方向（ヘッドバンド２の長手方向）ではなく、ヘッドバンド２の長手方向に交わる方向に向かって開口している。言い換えると、ヘッドバンド長さ調整機構において、渡りコードが配置される狭小部５１の内部空間は、イヤピース１側においてはイヤピース１に向かって開口し、ヘッドバンド２側においてはヘッドバンド２の長手方向に直交する方向に向かって開口している。なお、第１開口部５１１は、カバー部材５の長手方向先端付近に形成されているから、スライダー３が固定部材４に固定された状態では、固定部材４とヘッドバンド２の内部空間にある。
【００３８】
図６において示されるように、渡りコードである結線部材５３は、第１開口部５１１から固定部材４側に引き出されている部分がヘッドバンド２の長手方向に直交する方向へと曲げられている。また、結線部材５３は、上記引出部分においてスライダー３のスライド方向に折返され、ヘッドバンド長さ調整に対応できるようになっている。スライダー３を移動させて、イヤピース１とヘッドバンド２の距離を短くするとき、スライダー３がヘッドバンド２の内部へ進入する。このスライダー３のスライド移動にとともにカバー部材５もスライド移動する。そうすると、第１開口部５１１から引き出された結線部材５３は、上記折り返し部分が移動することで、ヘッドバンド２の長さに対応しながらヘッドバンド２の内部空間を移動する。このとき、結線部材５３には、スライダー３の移動方向に対して直交する方向に力が加わるが、固定部材４の内壁やヘッドバンド２の内壁との摩擦によって、引き出された部分はスライド移動する速度が遅くなる。そうすると、結線部材５３は、スライダー３の移動方向とは逆の方向に順次湾曲しながら収納されるようになる。
【００３９】
したがって、図６に示すように結線部材５３は、カバー部材５によって外部に露出すること無く覆われていて、ヘッドバンド２の長さを短くするときには、カバー部材５から出た部分に形成される折り返し部がヘッドバンド２の長手方向奥側に移動する。これに伴って、結線部材５３は、固定部材４とヘッドバンド２の内部空間におけるヘッドバンド２の端部方向に向けて折り返される。このように、結線部材５３は、ヘッドバンド２の長さ調整に応じて、カバー部材５からヘッドバンド２等の内部空間に出た後も、重なったりからみ合ったりすること無く、スムーズに収まる。
【００４０】
以上説明したヘッドホン１００は、ヘッドバンド２の長さを調整するときにも結線部材５３が外部に露出することなく、かつ、内部空間においてスムーズに収納される。これによって、ヘッドバンド２の長さ調整を確実かつスムーズに行えると共に、美観も保たれる。
【００４１】
また、ヘッドホン１００は、金属製のスライダー３と金属製のバネ４３によってクリック機構を構成するので、ヘッドバンド２の長さを調整するときのスライド移動において、当該部品が摩擦により擦り減ることはなく、耐摩耗性に優れている。
【００４２】
また、ヘッドホン１００は、固定部材４に形成したボス４２によって抜け防止構造を構成するので、部品点数を増やすことなく、確実な抜け防止構造を備えている。
【００４３】
また、ヘッドホン１００のスライダー３は金属製であるからヘッドバンド長さ調整機構を堅牢な構成にすることができ、かつ、長孔３１によって軽量化を図ることもできる。
【符号の説明】
【００４４】
１      イヤピース
２      ヘッドバンド
３      スライダー
４      固定部材
５      カバー部材
３１    長孔
５３    結線部材
【図１】
0006442719.tif 000002
【図２】
0006442719.tif 000003
【図３】
0006442719.tif 000004
【図４】
0006442719.tif 000005
【図５】
0006442719.tif 000006
【図６】
0006442719.tif 000007